(57)【要約】【課題】  個々のブロックを上下左右に積み重ねていくだけで、土砂止め、水止め、波止め、或いは火砕流止め、その他のために用いることができる堤防や法面壁を容易に且つ強固に築くことができるブロック構成体の提供を課題とする。【解決手段】  立方体若しくは直方体形状に構成されたブロック本体１０の左右方向に対向する一対の側面１０ａ、１０ｂの一方１０ａに水平方向に隣接するブロック構成体と嵌合させるための水平嵌合用凸部１１を形成すると共に前記一対の側面の他方１０ｂに水平嵌合用凹部を形成し、且つ前記ブロック本体１０の上面１０ｃ若しくは底面１０ｄの何れか一方１０ｃに垂直方向に隣接するブロック構成体と嵌合させるための垂直嵌合用凸部１３を形成すると共に他方１０ｄに垂直嵌合用凹部を形成し、前記垂直嵌合用凸部１３と垂直嵌合用凹部とは、その配置位置を相互にブロック本体１０の前後方向にずらしてある。【選択図】        図１
2005054509.tif 000002
【特許請求の範囲】
【請求項１】
立方体若しくは直方体形状に構成されたブロック本体の左右方向に対向する一対の側面の一方に水平方向に隣接するブロック構成体と嵌合させるための水平嵌合用凸部を形成すると共に前記一対の側面の他方に水平嵌合用凹部を形成し、且つ前記ブロック本体の上面若しくは底面の何れか一方に垂直方向に隣接するブロック構成体と嵌合させるための垂直嵌合用凸部を形成すると共に前記上面若しくは底面の他方に垂直嵌合用凹部を形成し、前記垂直嵌合用凸部と垂直嵌合用凹部とは、その配置位置を相互にブロック本体の前後方向にずらしてあることを特徴とするブロック構成体。
【請求項２】
全体を１つの石で構成してあることを特徴とする請求項１に記載のブロック構成体。
【発明の詳細な説明】
【技術分野】
【０００１】
本発明は土砂止め用の堤防、水止め用の堤防、波止め用の堤防、火砕流用の堤防等、各種の堤防、法面壁等として用いることができるブロック構成体に関する。
【背景技術】
【０００２】
従来、土砂止め等の堤防として、簡易的或いは緊急的には土嚢等を積み上げたものが用いられ、また長期或いは恒久的にはコンクリートを枠に流し込んでなる一体型の堤防が提供されている。また法面の崩れ防止等としてはコンクリート壁の他、石垣等もある。
【発明の開示】
【発明が解決しようとする課題】
【０００３】
ところが上記の堤防等は、極緊急的で短期間のみ役に立つ土嚢のようなものか、或いは一度施工すれば撤去の際にはその構造を壊さなければ撤去できないものが殆どであった。  また石を用いた石垣などは、自然石に近いものをそのまま積み上げたものや、荒削りの石を積み上げてその間をセメントで結合したものが殆どであり、一定の形状に整然と加工されたブロックを組み合わせてゆくだけで堤防や壁にできるものはなかった。
【０００４】
そこで本発明は上記従来の問題を解消し、個々のブロックを上下左右に積み重ねていくだけで、土砂止め、水止め、波止め、或いは火砕流止め、その他のために用いることができる堤防や法面壁を容易に且つ強固に築くことができるブロック構成体の提供を課題とする。
【課題を解決するための手段】
【０００５】
上記課題を達成するため、本発明のブロック構成体は、立方体若しくは直方体形状に構成されたブロック本体の左右方向に対向する一対の側面の一方に水平方向に隣接するブロック構成体と嵌合させるための水平嵌合用凸部を形成すると共に前記一対の側面の他方に水平嵌合用凹部を形成し、且つ前記ブロック本体の上面若しくは底面の何れか一方に垂直方向に隣接するブロック構成体と嵌合させるための垂直嵌合用凸部を形成すると共に前記上面若しくは底面の他方に垂直嵌合用凹部を形成し、前記垂直嵌合用凸部と垂直嵌合用凹部とは、その配置位置を相互にブロック本体の前後方向にずらしてあることを第１の特徴としている。
また本発明のブロック構成体は、上記第１の特徴に加えて、全体を１つの石で構成してあることを第２の特徴としている。
【０００６】
上記第１の特徴によれば、立方体若しくは直方体に構成されたブロック本体の水平嵌合用凸部と水平嵌合用凹部とで、各ブロックを左右方向（水平方向）に連結していくことで、水平方向に壁が形成される。一方ブロック本体の垂直嵌合用凸部と垂直嵌合用凹部とで、各ブロックを垂直方向に連結していくことで、垂直方向に壁が形成される。
しかも垂直嵌合用凸部と垂直嵌合用凹部とは、その配置位置を相互にブロック本体の前後方向にずらしてあることで、ブロック本体が積み重ねられたときに、上にいく程ブロック本体の前面が少しずつ後退するようになる。即ち、ブロック本体が積み重ねられてなる壁面が傾斜壁面となる。これによって後方からの押圧力に対して安定した堤防効果を発揮することができる。
またブロック本体が積み重ねられてなる壁は、各ブロック本体がその水平嵌合用凸部、水平嵌合用凹部、垂直嵌合用凸部、垂直嵌合用凹部で組み合わせ嵌合されて形成されるものであるから、結合材等を必要とせず、役割が終了した際の解体も容易であり、組み外した各ブロック構成体を再度利用に供することができる。
【０００７】
また上記第２の特徴によれば、上記第１の特徴による作用効果に加えて、ブロック構成体の全体が１つの石で構成されることで、充分に重量のあるブロック構成体となり、壁に積み上げた際に、充分なる重量をもって安定した堤防効果を発揮させることができる。また積み上げられた際に、立方体若しくは直方体の石が整然と組み合わされた非常に綺麗な壁とすることができる。
【発明の効果】
【０００８】
請求項１に記載のブロック構成体によれば、立方体若しくは直方体形状に構成されたブロック本体の左右方向に対向する一対の側面の一方に水平方向に隣接するブロック構成体と嵌合させるための水平嵌合用凸部を形成すると共に前記一対の側面の他方に水平嵌合用凹部を形成し、且つ前記ブロック本体の上面若しくは底面の何れか一方に垂直方向に隣接するブロック構成体と嵌合させるための垂直嵌合用凸部を形成すると共に前記上面若しくは底面の他方に垂直嵌合用凹部を形成し、前記垂直嵌合用凸部と垂直嵌合用凹部とは、その配置位置を相互にブロック本体の前後方向にずらしてあるので、
各ブロック構成体を水平嵌合用凸部と水平嵌合用凹部と垂直嵌合用凸部と垂直嵌合用凹部とで相互に組み合わせていくことで、水平方向及び垂直方向に安定した壁を容易に形成することができる。
しかも積み重ねた状態で、自動的に前面が上にいくに従って後退するような傾斜壁面とすることができる。よって本発明のブロック構成体を積み重ねてなる壁を、土砂止め用の堤防、水止め用の堤防、波止め用の堤防、火砕流用の堤防、その他の堤防、その他、法面壁として用いた際に、前方及び後方からの押圧力に対して安定した堤防効果を発揮することができる。
また積み重ねて壁を構成するに際して、ブロック構成体が相互にその水平嵌合用凸部、水平嵌合用凹部、垂直嵌合用凸部、垂直嵌合用凹部で組み合わせ嵌合されて形成されるものであるから、結合材等を必要としない。
また役割が終了した際の解体も、組み合わせを外していくだけでよいので、容易であり、更に組み外した各ブロック構成体を再度利用に供することができる。
【０００９】
また請求項２に記載のブロック構成体によれば、請求項１に記載の構成による効果に加えて、ブロック構成体の全体が１つの石で構成されることで、
充分に重量のあるブロック構成体となり、壁に積み上げた際に、充分なる重量をもって安定した堤防効果を発揮させることができる。
また積み上げられた際に、立方体若しくは直方体の石が整然と組み合わされた非常に綺麗な壁とすることができる。
【発明を実施するための最良の形態】
【００１０】
以下の図面を参照しながら、本発明の実施形態を更に詳細に説明する。
図１は本発明のブロック構成体の斜視図、図２は本発明のブロック構成体を他の方向からみた斜視図である。図３はブロック構成体を積み重ねてなる壁の断面図である。
【００１１】
本発明に係るブロック構成体は、ブロック本体１０に、水平嵌合用凸部１１と水平嵌合用凹部１２、垂直嵌合用凸部１３と垂直嵌合用凹部１４を一体的に形成したものである。
ブロック構成体は、その構成材料を石とし、石を切削加工してブロック本体１０及び各水平嵌合用凸部１１、水平嵌合用凹部１２、垂直嵌合用凸部１３、垂直嵌合用凹部１４を一体的物として形成する。
前記ブロック本体１０は直方体形状とするが、立方体形状となる場合もある。直方体形状、立方体形状とは、概略的に直方体、立方体になっているものをいい、完璧な直方体、立方体に限定されるものではない。
【００１２】
前記水平嵌合用凸部１１と水平嵌合用凹部１２とは、ブロック本体１０の左右方向に対向する一対の側面である右側面１０ａと左側面１０ｂのうち、一方の側面である右側面１０ａの中央付近に水平嵌合用凸部１１が形成され、他方の側面である左側面１０ｂの中央付近に水平嵌合用凹部１２が形成されている。
１０ｅはブロック本体１０の前面、１０ｆはブロック本体の後面とする。
前記水平嵌合用凹部１２は水平嵌合用凸部１１よりも少しだけ大きい寸法として、水平方向に隣り合うブロック構成体の水平嵌合用凹部１２と水平嵌合用凸部１１とで相互に嵌り合うようになされている。
前記垂直嵌合用凸部１３と垂直嵌合用凹部１４とは、ブロック本体１０の上面１０ｃ若しくは底面１０ｄのうち、何れか一方である上面１０ｃに垂直嵌合用凸部１３が形成され、他方である底面１０ｄに垂直嵌合用凹部１４が形成されている。
垂直嵌合用凹部１４は垂直嵌合用凸部１３よりも少しだけ大きい寸法として、上下方向に隣り合うブロック構成体の垂直嵌合用凹部１４と垂直嵌合用凸部１３とで相互に嵌り合うようになされている。
【００１３】
前記垂直嵌合用凸部１３と垂直嵌合用凹部１４との位置は、その上面１０ｃ、底面１０ｄにおいて、その左右方向の中央付近に設けられる。
その一方、垂直嵌合用凸部１３と垂直嵌合用凹部１４とは、その配置位置をブロック本体１０の前後方向に相互に少しずらしている。実際には上面１０ｃの垂直嵌合用凸部１３を底面の垂直嵌合用凹部１４よりも、少し後面１０ｆ側へ後退させた位置に配置させている。
このようにして、上面１０ｃの垂直嵌合用凸部１３を底面１０ｄの垂直嵌合用凹部１４よりも少し後退して配置することで、ブロック構成体１０を垂直方向に積み重ねたときに、上にいくにしたがって壁面が後退するように壁が構成される。
【００１４】
以上のようにして形成したブロック構成体を複数個用いて、水平方向及び垂直方向に組み合わせて積み重ねていくことで、断面が図３に示すような壁に形成される。
この場合、上に積み重ねられていくブロック構成体は、その本体１０の前後方向の寸法を順次短い寸法となるようにして、積み重ねられた複数のブロック本体１０の後面１０ｆが面一となるようにすることができる。具体的には、積み重ねる段が一段上がる毎に、ブロック本体の垂直嵌合用凸部１３から後面１０ｆまでの距離が、前記垂直嵌合用凸部１３と垂直嵌合用凹部１４とのずれ寸法Ｓに相当する寸法だけ短くなるようにしている。
【００１５】
ブロック構成体が積み重ねられることで形成される壁の前面の傾斜角度Ａは、ブロック構成体の厚みと前記垂直嵌合用凸部１３と垂直嵌合用凹部１４とのずれ寸法Ｓを調整することで、適宜好ましい傾斜角度Ａに調整することができる。
【図面の簡単な説明】
【００１６】
【図１】本発明のブロック構成体の斜視図である。
【図２】本発明のブロック構成体を他の方向からみた斜視図である。
【図３】ブロック構成体を積み重ねてなる壁の断面図である。
【符号の説明】
【００１７】
１０      ブロック本体
１０ａ    右側面
１０ｂ    左側面
１０ｃ    上面
１０ｄ    底面
１０ｅ    前面
１０ｆ    後面
１１      水平嵌合用凸部
１２      水平嵌合用凹部
１３      垂直嵌合用凸部
１４      垂直嵌合用凹部
Ａ        傾斜角度
Ｓ        ずれ寸法
【図１】
2005054509.tif 000003
【図２】
2005054509.tif 000004
【図３】
2005054509.tif 000005